(57)【要約】【課題】  ネクタイを引っ掛けておくだけでは、重ねたネクタイの選別が面倒であり、それにともなう、ずれ落ち、つれ落ちがあった。又、ネクタイは左右の先端部分が細い部分と太い部分があるため、重さが不均衡になり、単純にネクタイの中央を上に掛けるとずれ落ちたり、つれ落ちたりすることがあった。又、引っ掛け具のついた掛け具では、挿着がスピーデイでなくハンガー等に掛けると自重により一方に移動する事があった。本発明はネクタイを挿着、選別する際の少々の揺れ、乱れではずれ落ちない、挿着が容易なネクタイ掛け具の提供を目的とする。【解決手段】  ネクタイの吊り下げ部である支軸と一部係合した挟持部に、弾性を有する螺旋状のバネワイヤーを具備した構成である。【選択図】  図１
2007061158.tif 000002
【特許請求の範囲】
【請求項１】
吊り下げ部である支軸と一部係合した狭持部を具備することを特徴とするネクタイ掛け具。
【請求項２】
狭持部を支軸により接合する構成である請求項１記載のネクタイ掛け具。
【請求項３】
支軸に孔を設けて挟持部を挿通する構成である請求項１記載のネクタイ掛け具。
【請求項４】
挟持部が弾性を有する螺旋状のバネワイヤーからなる請求項１〜３いずれか記載のネクタイ掛け具。
【発明の詳細な説明】
【技術分野】
【０００１】
本発明は、ネクタイのずれ落ち、つれ落ちを防ぎ、簡単スピーデイに着脱、効率よく収納する事が出来るネクタイ掛け具に関するものである。
【背景技術】
【０００２】
従来は、洋服ダンスの扉の内側に横向きの掛け具が設けられており、ポールなどにネクタイを何重にも掛けるか、又は面倒な引っ掛け具に収納するしかなかつた(特許文献１参照)。
【０００３】
【特許文献１】実開平７−５４７７、
【特許文献２】実用新案登録番号  第３０００１５１号
【発明の開示】
【発明が解決しようとする課題】
【０００４】
しかしながら、ネクタイを引っ掛けておくだけでは、重ねたネクタイの選別が面倒であり、それにともなう、ずれ落ち、つれ落ちがあった。又、ネクタイは左右の先端部分が細い部分と太い部分があるため、重さが不均衡になり、単純にネクタイの中央を上に掛けるとずれ落ちたり、つれ落ちたりすることがあった。又、引っ掛け具のついた掛け具では、挿着がスピーデイでなく、ハンガー等に掛けると自重により一方に移動する事があった。
【課題を解決するための手段】
【０００５】
本発明は、上記した従来の問題点を解決するために、本発明のネクタイ吊り下げ部である支軸に、一部係合した挟持部を具備したものであり、弾性を有する螺旋状のバネワイヤーからなる狭持部である、バネとバネとの間にネクタイを挟持することにより、ずれ落ち、つれ落ちを防ぎ、ネクタイを定位置に安定して掛ける事が出来、挿着が簡単で安価に製造できることを工夫したものである。
【発明の効果】
【０００６】
本発明の構成により、ネクタイの挿着が簡単スピーデイであり、又ネクタイを挿着、選別する際の少々の揺れ乱れでは、ずれ落ち、つれ落ちがなく、ネクタイを効率よく収納する事が出来る。又ハンガーになっているので持ち運び自由で何処にでも掛けられ、移動に伴う片寄りや揺れ落ち等がない。
【発明を実施するための最良の形態】
【０００７】
以下本発明の実施の形態について、図面を参照しながら説明する。
(実施の形態１)
【０００８】
ネクタイ掛け具（実施の形態１、図１）は、掛止部１、回転軸２、洋服兼用ハンガ−３よりなり、ネクタイ吊り下げ部であるＡ〜Ｂは、図１の様に支軸４と支軸５に分かれている。支軸４，支軸５の接合部分９に横一列、等間隔にバネワイヤー６の挿通孔８がなされ、バネワイヤー６が形状の螺旋状態で挿通されている。即ちバネワイヤー６が、４，５の支軸でサンドイッチ状態になっており、支軸４、支軸５は、バネワイヤー６を挟んで接着剤、クリップ等で接合されている。
【０００９】
図２は、図１の正面より見た拡大断面図で、螺旋状のバネワイヤー６は、図１のごとく
Ａを起点として支軸４、５の挿通孔８を無理のない螺旋状で挿通し、両端Ａ，Ｂで固定さ
れている。又バネワイヤー６を、４、５の支軸で９のごとく、接着剤、クリップ等で接合されている。
【００１０】
図３は、図１の上方より見た拡大透視図で、バネワイヤー６が、挿通孔８を点線の様に支軸４を挿通し螺旋している事がわかる。
【００１１】
図４は、図１の側面より見た拡大断面図で、バネワイヤー６は、支軸４と支軸５の間をむりのない螺旋で挿通し、支軸４，支軸５で接合されている。
【００１２】
図５は、螺旋状のバネとバネの間である挟持部７に、挿着されたネクタイＮの実施の形態である。
(実施の形態２)
【００１３】
ネクタイ掛け具（実施の形態２、図６）は、図６に示す様に掛止部１、回転軸２、洋服兼用ハンガー３と支軸Ｃ〜Ｄは一体成形になっており、ネクタイ吊り下げ部であるＡ〜Ｂに横一列、等間隔にバネワイヤー６の通軸孔８がなされ、弾性を有するバネワイヤー６が形状の螺旋状で挿通し、両端であるＡ，Ｂにおいて固定されている。
【００１４】
図１〜図６に示すように、本発明の実施例によるネクタイ掛け具（実施の形態１、２（図１、図６））は、従来からあるネクタイ掛け具のいろいろな材質を使用することが可能であり、ネクタイ吊り下げ部であるＡ〜Ｂにのみ使用されるバネワイヤー６は、アルミ、スチール等が好適であり、塩化ビニール樹脂等でコーテーングしてもよい。
【００１５】
又ワイヤーにゴム、樹脂、等を吹き付けたり、布を巻いたりすることにより本発明の機能、デサイン的な効果をよりいっそう計る事が出来る。
【００１６】
ネクタイ掛け具（実施の形態１、２（図１、図６））を使用するには図１、図５に示すように、螺旋状になった弾性を有するバネワイヤー６のバネとバネの間狭持部７に、ネクタイＮの中央部を上になるように掛け、弾性を有するバネを左右より軽く押さえることにより安定し、ずれ落ち、つれ落ちがなく又少々の揺れ乱れでは落ちない。又バネとバネの間である狭持部７の数だけネクタイＮがかけられ、柄の選別がスムーズであり、ネクタイＮを掛ける場合も簡単に掛けられる。
【００１７】
ネクタイＮを取り外すときは、ネクタイＮの端を下に引っ張るとスルッと簡単にとりはずせる、ネクタイＮの素材の厚さが違ってもその効果に違いはない。又ハンガーになっているので持ち運び自由で何処にでも掛けられ、移動にともなう揺れ落ち等がない。
【００１８】
図１〜図６の１、２、３、４、５よりなるハンガーの素材は、木製、スチール、合成樹脂、プラスチック、ステンレス、ポリエステル等  使用する事が可能であり、加工、製造がしやすく安価である。
【産業上の利用可能性】
【００１９】
本発明は、上記の実施例に限定されるものでなく、ネクタイ吊り下げ部である支軸を円形  蛸足  半月形等に成形し、螺線状の弾性を有するバネワイヤーを狭持部に具備することによりいろいろなネクタイ掛け具を作ることが出来る。又、実施例のネクタイ吊り下げ部である支軸の両端に引っ掛け金具を付け扉の裏面や壁面に取りつける事が出来る。
【図面の簡単な説明】
【００２０】
【図１】本発明の実施の形態１におけるネクタイ掛け具の正面図
【図２】図１の正面より見たバネワイヤー６と支軸４，５の接合された拡大正面図
【図３】図１の上方より見たバネワイヤー６と支軸４の拡大透視図
【図４】図１の側面より見たバネワイヤー６と支軸４、５の拡大断面図
【図５】図１における正面より見た、挟持部７とネクタイＮの挿着の形態。
【図６】本発明の実施の形態２におけるネクタイ掛け具の正面図
【符号の説明】
【００２１】
１・・・・  掛止部
２・・・・  回転軸
３・・・・  洋服兼用ハンガー
４・・・・  支軸４  支軸Ｃ〜Ｄの上部分
５・・・・  支軸５  支軸Ｃ〜Ｄの下部分
６・・・・  螺旋状のバネワイヤー
７・・・・  狭持部  ネクタイＮの挿着部分
８・・・・  挿通孔
９・・・・  支軸４，５の接合部分
Ａ・・・・  左端ワイヤーの固定部分
Ｂ・・・・  右端ワイヤーの固定部分
Ａ〜Ｂ・・  ネクタイＮの吊り下げ部分
Ｃ〜Ｄ・・  支軸
Ｎ・・・・  ネクタイ
【図１】
2007061158.tif 000003
【図２】
2007061158.tif 000004
【図３】
2007061158.tif 000005
【図４】
2007061158.tif 000006
【図５】
2007061158.tif 000007
【図６】
2007061158.tif 000008